(57)【要約】【課題】電源装置の駆動制御部に対して電圧供給を行なう補助電源供給部の電力損失の最少化を簡素な構成で実現し得る電源装置を提供する。【解決手段】交流電源１０から供給される電力を電力変換する電力変換部１３と、負荷１５に供給される直流電力の電気変量を検出する出力検出部１４と、出力検出部１４の検出結果に基づき電力変換部１３の駆動を制御する駆動制御部１７と、駆動制御部１７に対して電力を供給する補助電源供給部１６と、を備え、補助電源供給部１６では、電力変換部１３と接続される第１及び第２の補助電力供給経路から互いに異なる電圧値を有する補助電力を供給するとき、第２の補助電力供給経路の電圧値が予め与えられる所定閾値を下回る場合に、該所定閾値よりも大きな電圧値を持つ第１の補助電力供給経路を選択し、該第１の補助電力供給経路から供給される補助電力を出力する。【選択図】図１
2013183533.tif 000002
【特許請求の範囲】
【請求項１】
交流電源に接続され、該交流電源から供給される電力を負荷に対して所定の電力に変換して供給するように電力変換を行なう電力変換部と、
前記負荷に供給される直流電力の電気変量を検出する出力検出部と、
前記出力検出部の検出結果に基づき前記電力変換部の駆動を制御する駆動制御部と、
前記駆動制御部に対して電力を供給する補助電源供給部と、を備える電源装置であって、
前記補助電源供給部は、前記電力変換部と接続される少なくとも２以上の補助電力供給経路から互いに異なる電圧値を有する補助電力を供給すると共に、補助電力供給経路の補助電力に対して予め所定閾値が与えられ、一の補助電力供給経路の電圧値が前記所定閾値を下回るとき、他の補助電力供給経路の何れかを選択し、該選択された経路から供給される補助電力を出力することを特徴とする電源装置。
【請求項２】
前記補助電源供給部は、
前記補助電力の電圧値が前記所定閾値を下回るか否かを検出する検出部と、
前記補助電力の電圧値が前記所定閾値を下回るとき、該所定閾値よりも大きな電圧値を持つ補助電力供給経路の何れかを選択するように切替えると共に、該選択された補助電力供給経路から供給される補助電力を出力する切替部と、
を有することを特徴とする請求項１に記載の電源装置。
【請求項３】
前記補助電源供給部が第１及び第２の補助電力供給経路を持つとき、
前記検出部は、前記第２の補助電力供給経路の電圧値が前記所定閾値を下回るときにオフ状態となる第１スイッチング素子を有し、
前記切替部は、前記第１スイッチング素子がオフ状態のときオン状態となって前記第１の補助電力供給経路から供給される補助電力を出力し、それ以外はオフ状態となる第２スイッチング素子と、前記第１の補助電力供給経路から前記第２の補助電力供給経路への逆流を阻止するダイオードと、を有する
ことを特徴とする請求項２に記載の電源装置。
【請求項４】
前記補助電源供給部は、前記電力変換部と接続される少なくともＮ個（Ｎは２以上の整数）の補助電力供給経路から互いに異なる電圧値を有する補助電力を供給すると共に、該Ｎ個の補助電力供給経路の補助電力に対して予め所定閾値が与えられ、第ｋ（ｋ＝２〜Ｎ）の補助電力供給経路から供給される補助電力が第ｋ−１の補助電力供給経路から供給される補助電力より小さく設定され、第ｋの補助電力供給経路の電圧値が前記所定閾値を下回る場合、第ｋ−１の補助電力供給経路を選択し、該選択された第ｋ−１の補助電力供給経路から供給される補助電力を出力することを特徴とする請求項１に記載の電源装置。
【請求項５】
前記補助電源供給部は、
第ｋの補助電力供給経路が供給する補助電力の電圧値が前記所定閾値を下回るか否かを検出する第ｋ検出部と、
第ｋの補助電力供給経路の電圧値が前記所定閾値を下回るとき、第ｋ−１の補助電力供給経路を選択するように切替えると共に、該選択された第ｋ−１の補助電力供給経路から供給される補助電力を出力する第ｋ切替部と、
を有することを特徴とする請求項４に記載の電源装置。
【請求項６】
前記第ｋ検出部は、第ｋの補助電力供給経路の電圧値が前記所定閾値を下回るときにオフ状態となる第１スイッチング素子を有し、
前記第ｋ切替部は、第１スイッチング素子がオフ状態のときオン状態となって前記第ｋの補助電力供給経路から供給される補助電力を出力し、それ以外はオフ状態となる第２スイッチング素子と、前記第ｋの補助電力供給経路から他の補助電力供給経路への逆流を阻止するダイオードと、を有する
ことを特徴とする請求項５に記載の電源装置。
【請求項７】
前記電力変換部は、トランスを有し、
前記補助電力供給経路の補助電力は、前記トランスの補助巻線から供給されることを特徴とする請求項１〜請求項６の何れか１項に記載の電源装置。
【発明の詳細な説明】
【技術分野】
【０００１】
本発明は、電源装置の駆動制御部に対して電圧供給を行なう補助電源供給部を備えた電源装置に関するものである。
【背景技術】
【０００２】
一般に、電源装置には、その用途に応じたさまざまな要求仕様を満足するために様々な駆動制御機能（駆動制御部）を備えている。この駆動制御部が制御動作を行うためには、該駆動制御部に電力を供給する必要がある。電力供給手法には様々なものがあるが、その一手法として、補助電源を構成して電力供給するものがある。
【０００３】
例えば、特許文献１に開示のスイッチング電源装置では、補助電源として、フライバックトランスの３次巻線の両端間または中間タップのフォワード電圧を、電源電圧（中間タップの電圧）に応じて切り替えて装置内の制御回路に供給する構成が提案されている。なお、この補助電源は、３次巻線の両端間のフォワード電圧を供給する経路には、供給制御用のトランジスタと、該トランジスタのベース電圧を固定値以下に保つツェナーダイオードと、を備えており、シリーズレギュレータの構成となっている。
【０００４】
また、特許文献２に開示のＡＣアダプタでは、スイッチング制御部の補助電源として、トランスの第３巻線の出力を基に制御電源を形成する制御電源部と、無負荷給電状態のときにトランスの第４巻線の出力を基にスイッチング制御部の最低動作電圧以上の補助電源を形成する補助電源部と、を備えた構成が提案されている。なお、補助電源部の具体的構成は、第４巻線の出力を整流、平滑するレギュレータ部と、給電制御用のトランジスタと、該トランジスタのベース電圧を無負荷給電状態になるまで制御電圧より低電圧に保持するツェナーダイオードと、を備えたシリーズレギュレータの構成である。
【０００５】
このように特許文献１及び特許文献２に開示された技術では、負荷変動などに基づく主出力系の安定化を図ると共に、負荷変動などに伴い変動する補助電源供給のための補助出力系の電圧安定化を実現するために、補助電源にシリーズレギュレータを配置した構成を採用している。
【先行技術文献】
【特許文献】
【０００６】
【特許文献１】特開２０１１−１５５７７３号公報
【特許文献２】特開２０１０−０６８６３８号公報
【発明の概要】
【発明が解決しようとする課題】
【０００７】
しかしながら、駆動制御部（特に駆動制御ＩＣ）が、ある程度の電源電圧の許容範囲を有する場合には、特許文献１及び特許文献２に開示されているような電圧安定化の機能は不要であり、電源装置の効率向上の観点から、電力損失を前提にしたシリーズレギュレータを配置した構成は好ましくないという事情があった。
【０００８】
本発明は、以上のような事情に鑑みてなされたものであって、電源装置の駆動制御部に対して電圧供給を行なう補助電源供給部の電力損失の最少化を簡素な構成で実現し得る電源装置を提供することを課題としている。
【課題を解決するための手段】
【０００９】
上記課題を解決するため、本発明は、交流電源に接続され、該交流電源から供給される電力を負荷に対して所定の電力に変換して供給するように電力変換を行なう電力変換部と、前記負荷に供給される直流電力の電気変量を検出する出力検出部と、前記出力検出部の検出結果に基づき前記電力変換部の駆動を制御する駆動制御部と、前記駆動制御部に対して電力を供給する補助電源供給部と、を備える電源装置であって、前記補助電源供給部は、前記電力変換部と接続される少なくとも２以上の補助電力供給経路から互いに異なる電圧値を有する補助電力を供給すると共に、補助電力供給経路の補助電力に対して予め所定閾値が与えられ、一の補助電力供給経路の電圧値が前記所定閾値を下回るとき、他の補助電力供給経路の何れかを選択し、該選択された経路から供給される補助電力を出力することを特徴とする。
【発明の効果】
【００１０】
本発明によれば、電源装置の駆動制御部に対して電圧供給を行なう補助電源供給部の電力損失の最少化を簡素な構成で実現することができる。
【図面の簡単な説明】
【００１１】
【図１】本発明の一実施形態に係る電源装置の構成図である。
【図２】実施形態の電源装置における補助電源供給部の回路構成を例示した構成図である。
【発明を実施するための形態】
【００１２】
以下、本発明の電源装置の実施形態について、図面を参照して詳細に説明する。
【００１３】
図１において、本実施形態の電源装置１は、交流電源１０、入力フィルタ部１１、整流部１２、電力変換部１３、出力検出部１４、補助電源供給部１６及び駆動制御部１７を備えて構成され、電圧ＶＯを負荷１５に印加する。
【００１４】
ここで、電力変換部１３は、交流電源１０から供給される電力を負荷１５に対して所定の直流電力に変換して供給するように電力変換を行なう。なお、図１の構成では、交流電源１０からの電力について、入力フィルタ部１１によってノイズ除去し、整流部１２によって直流電力に変換した後、電力変換部１３により力率改善を施して負荷１５側に供給する構成としているが、このような構成に限定されることなく、例えば、交流電力を整流した後の電力をアクティブフィルタ等に供給して力率を改善する構成としても良い。また、入力フィルタ部１１や整流部１２の機能を電力変換部１３に含ませた構成としても良い。またさらに、力率改善の機能を持たない構成であっても良い。
【００１５】
また、出力検出部１４は、負荷１５に供給される直流電力の電気変量を検出する。すなわち、電力変換部１３の出力について、出力電圧値ＶＯや出力電流値ＩＯ（または負荷電流値ＩＬ）などの電気変量を検出し、駆動制御部１７に出力する。
【００１６】
また、駆動制御部１７は、出力検出部１４の検出結果に基づき電力変換部１３の駆動を制御する。具体的に本実施形態の電源装置１をスイッチング電源装置とした場合、出力検出部１４から入力される電気変量の検出結果に基づいて、電力変換部１３に通常含まれているスイッチング素子の駆動制御を行なう。なお、駆動制御部１７の構成については、特に限定されないが、ここでは駆動制御ＩＣ（Integrated Circuit）やマイコンなどの制御手段が含まれるものとする。また、出力検出部１４の検出結果に基づく駆動制御に限定されることなく、（負荷１５側から見て）入力側の電流や電圧を検出して駆動制御に反映する機能を持つ構成としても良い。
【００１７】
また、補助電源供給部１６は、駆動制御部１７に対して電力を供給する。すなわち、補助電源供給部１６は、電力変換部１３と接続される少なくとも２以上の補助電力供給経路から互いに異なる電圧値を有する補助電力を供給すると共に、該２以上の補助電力供給経路の補助電力に対して予め所定閾値が与えられ、一の補助電力供給経路の電圧値が所定閾値を下回るとき、他の補助電力供給経路の何れかを選択し、該選択された経路から供給される補助電力を出力する。
【００１８】
図２には、本実施形態の電源装置における補助電源供給部１６の具体的な回路構成を例示する。同図では、電力変換部１３を駆動部１３１及びトランス（Ｔ１）１３２を備えた構成としている。すなわち、駆動部１３１のスイッチング素子によってスイッチングした電力をトランス１３２の１次巻線Ｗ１に供給し、トランス１３２の２次巻線Ｗ２に誘起された電力を負荷１５側へ供給する構成である。なお、トランス１３２及び当該電源装置１（即ちスイッチング電源装置１）が絶縁型または非絶縁型の何れであるかは問わない。
【００１９】
また、補助電源供給部１６は、第１整流回路１６３、検出部１６１及び切替部１６２を備えて、第１及び第２の補助電力供給経路からそれぞれ異なる電圧値を有する補助電力を駆動制御部１７に対して供給する構成とし、該２つの補助電力供給経路の補助電力に、トランス１３２の３次巻線（補助巻線）Ｗ３に誘起された電力を用いる構成としている。すなわち、３次巻線Ｗ３の第１端子Ｐ１から第１の補助電力供給経路に第１補助電力（第１出力電圧ＶＰ１）が、３次巻線Ｗ３の第２端子Ｐ２から第２の補助電力供給経路に第２補助電力（第２出力電圧ＶＰ２）が、それぞれ供給される。
【００２０】
ここで、第１整流回路１６３は、第１の補助電力供給経路に構成され、ダイオードＤ２及びコンデンサＣ２を備えて、第１補助電力（第１出力電圧ＶＰ１）を整流及び平滑する。
【００２１】
また、検出部１６１は、第２の補助電力供給経路に接続され、第２補助電力の第２出力電圧ＶＰ２の値が該第２補助電力に対応する第２閾値を下回るか否かを検出し、その検出結果を出力する。ここで、検出部１６１は、ダイオードＤ３及びコンデンサＣ３を備えた第２整流回路と、ツェナーダイオードＤ４と、抵抗Ｒ２，Ｒ３を備えた構成である。ツェナーダイオードＤ４は、特許請求の範囲にいう第１スイッチング素子に該当し、第２の補助電力供給経路の電圧値（第２出力電圧ＶＰ２）が所定閾値を下回るときにオフ状態となる。
【００２２】
検出部１６１において、ダイオードＤ３のアノードは補助巻線Ｗ３の第２端子Ｐ２と接続され、カソードはツェナーダイオードＤ４のカソード及びコンデンサＣ３の一方の端子に接続されている。また、ツェナーダイオードＤ４のアノードは抵抗Ｒ２，Ｒ３の直列回路の一方の側と接続され、ツェナーダイオードＤ４及び抵抗Ｒ２，Ｒ３の直列回路に対して並列にコンデンサＣ３が接続されている。
【００２３】
また、切替部１６２は、第１の補助電力供給経路及び第２の補助電力供給経路にまたがって構成され、検出部１６１において電圧値が所定閾値を下回るとき、該所定閾値よりも大きな電圧値を持つ補助電力供給経路（即ち、第１の補助電力供給経路）を選択するように切替えると共に、該第１の補助電力供給経路から供給される補助電力を出力する。
【００２４】
また、切替部１６２は、電界効果トランジスタ（以下、ＦＥＴと略記する）Ｑ１、ダイオードＤ１、抵抗Ｒ１，Ｒ４及びトランジスタＱ２，Ｑ３を備えた構成である。ここで、ＦＥＴＱ１は、特許請求の範囲にいう第２スイッチング素子に該当し、所定閾値よりも大きな電圧値を持つ第１の補助電力供給経路に配置され、ツェナーダイオードＤ４がオフ状態のときオン状態となり、それ以外はオフ状態となる。また、ダイオードＤ１は、第１の補助電力供給経路から第２の補助電力供給経路への逆流を阻止する。
【００２５】
切替部１６２において、トランジスタＱ２のベース電極は抵抗Ｒ２及びＲ３間の接続点と接続され、トランジスタＱ３のベース電極は抵抗Ｒ４及びトランジスタＱ２のコレクタ電極間の接続点と接続されている。また、ＦＥＴＱ１のゲート電極はトランジスタＱ３のコレクタ電極と接続され、ソース電極及びゲート電極間に抵抗Ｒ１が接続されている。さらに、ダイオードＤ１のアノードは補助巻線Ｗ３の第２端子Ｐ２と接続され、カソードはコンデンサＣ１の一方の端子に接続されている。
【００２６】
次に、以上説明した回路構成を備えた本実施形態の電源装置における補助電源供給部１６の動作について説明する。以下の説明では、補助電源供給部１６の第２の補助電力供給経路から駆動制御部１７に対して第２補助電力（第２出力電圧ＶＰ２）が供給される状態を第２状態（通常の動作状態）とし、何らかの要因によって第２出力電圧ＶＰ２が低下して第２補助電力に対応する第２閾値を下回り、補助電源供給部１６の第１の補助電力供給経路から駆動制御部１７に対して第１補助電力（第１出力電圧ＶＰ１）が供給される状態を第１状態（切替後の動作状態）とする。
【００２７】
まず、第２状態（通常の動作状態）では、トランス１３２の補助巻線Ｗ３の第２端子Ｐ２に出力される第２出力電圧ＶＰ２が、ダイオードＤ１及びコンデンサＣ１で構成される整流回路により整流及び平滑されて、駆動制御部１７に直流電圧Ｖｃｏｎｔとして供給される。
【００２８】
このとき、第２の補助電力供給経路では、トランス１３２の補助巻線Ｗ３の第２端子Ｐ２に出力される第２出力電圧ＶＰ２が、ダイオードＤ３及びコンデンサＣ３を備えた第２整流回路により整流及び平滑されて、ツェナーダイオードＤ４及び抵抗Ｒ２，Ｒ３の直列回路に直流電流を供給する。その結果、抵抗Ｒ３の両端には、供給される直流電流と抵抗Ｒ３の抵抗値とに応じた電圧が発生する。なお、実際には、抵抗Ｒ２，Ｒ３の接続点はトランジスタＱ２のベース端子に接続されているため、抵抗Ｒ３の両端にはトランジスタＱ２のベース−エミッタ間電圧（Ｖｂｅ２）が現れている。
【００２９】
このように、抵抗Ｒ３の両端にトランジスタＱ２のベース−エミッタ間電圧（Ｖｂｅ２）が現れている状態では、トランジスタＱ２はオン状態となり、抵抗Ｒ４を経由してトランジスタＱ２に直流電流が供給される。このとき、トランジスタＱ２のコレクタ端子は略接地電位（Ｌｏｗレベル）となる。またこのとき、トランジスタＱ２のコレクタ端子に接続されているトランジスタＱ３のベース端子は略接地電位（Ｌｏｗレベル）となり、トランジスタＱ３はオフ状態となる。
【００３０】
他方、第１の補助電力供給経路では、トランス１３２の補助巻線Ｗ３の第１端子Ｐ１に出力される第１出力電圧ＶＰ１が、ダイオードＤ２及びコンデンサＣ２を備えた第１整流回路１６３により整流及び平滑されている。しかしながら、第１の補助電力供給経路上に配置されているＦＥＴＱ１は、トランジスタＱ３がオフ状態であるためにオフ状態となり、第１出力電圧ＶＰ１を整流及び平滑した直流電圧は、ダイオードＤ１とコンデンサＣ１との接続点には供給されないこととなる。
【００３１】
次に、何らかの要因によって、トランス１３２の補助巻線Ｗ３の第２端子Ｐ２に出力される第２出力電圧ＶＰ２が低下すると、第２の補助電力供給経路では、ダイオードＤ３及びコンデンサＣ３を備えた第２整流回路により整流および平滑される直流電圧も低下する。この直流電圧が第２閾値を下回る値になると、ツェナーダイオードＤ４及び抵抗Ｒ２，Ｒ３の直列回路に供給される直流電流が減少し、最終的にツェナーダイオードＤ４がオフ状態となって直列回路に対する直流電流の供給が停止することとなる。
【００３２】
このツェナーダイオードＤ４及び抵抗Ｒ２，Ｒ３の直列回路に直流電流が供給されない状態は、トランジスタＱ２のベース端子に電流が供給されない状態であり、トランジスタＱ２はオフ状態となる。その結果、抵抗Ｒ４を経由して供給される直流電流は略全てトランジスタＱ３に供給されることとなり、トランジスタＱ３はオン状態となる。
【００３３】
他方、第１の補助電力供給経路では、トランス１３２の補助巻線Ｗ３の第１端子Ｐ１に出力される第１出力電圧ＶＰ１が、ダイオードＤ２及びコンデンサＣ２を備えた第１整流回路１６３により整流及び平滑されている。第１の補助電力供給経路上に配置されているＦＥＴＱ１は、トランジスタＱ３がオン状態であるためにオン状態となり、第１出力電圧ＶＰ１を整流及び平滑した直流電圧が、ダイオードＤ１とコンデンサＣ１との接続点に供給されることとなる。
【００３４】
なお、このとき、トランス１３２の補助巻線Ｗ３の第１端子Ｐ１に出力される第１出力電圧ＶＰ１と、第２端子Ｐ２に出力される第２出力電圧ＶＰ２とでは、第１出力電圧ＶＰ１が高い値となるように補助巻線Ｗ３を構成しているため、第１の補助電力供給経路はダイオードＤ１によって遮断され、第２出力電圧ＶＰ２はダイオードＤ１とコンデンサＣ１との接続点に供給されないこととなる。
【００３５】
以上説明したように、本実施形態の電源装置１では、交流電源１０に接続され、該交流電源１０から供給される電力を負荷１５に対して所定の直流電力に変換して供給するように電力変換を行なう電力変換部１３と、負荷１５に供給される直流電力の電気変量を検出する出力検出部１４と、出力検出部１４の検出結果に基づき電力変換部１３の駆動を制御する駆動制御部１７と、駆動制御部１７に対して電力を供給する補助電源供給部１６と、を備え、補助電源供給部１６では、電力変換部１３と接続される第１及び第２の補助電力供給経路から互いに異なる電圧値を有する補助電力を供給するとき、第２の補助電力供給経路の電圧値が予め与えられる所定閾値を下回る場合に、該所定閾値よりも大きな電圧値を持つ第１の補助電力供給経路を選択し、該第１の補助電力供給経路から供給される補助電力を出力する。
【００３６】
また、補助電源供給部１６では、第２の補助電力供給経路に、当該補助電源供給部１６が供給する補助電力の電圧値が所定閾値を下回るか否かを検出する検出部１６１を備え、第２の補助電力供給経路の電圧値が所定閾値を下回るとき、第１の補助電力供給経路を選択するように切替えると共に、該選択された第１の補助電力供給経路から供給される補助電力を出力する切替部１６２を、第１の補助電力供給経路及び第２の補助電力供給経路間に備えて構成する。
【００３７】
なお、検出部１６１は、第２の補助電力供給経路の電圧値が所定閾値を下回るときにオフ状態となる第１スイッチング素子（ツェナーダイオードＤ４）を備え、また切替部１６２は、第１の補助電力供給経路に配置され、第１スイッチング素子がオフ状態のときオン状態となり、それ以外はオフ状態となる第２スイッチング素子（ＦＥＴＱ１）と、第１の補助電力供給経路から第２の補助電力供給経路への逆流を阻止するダイオード（Ｄ１）と、を備えて構成される。
【００３８】
このような構成により、通常の動作状態において、何らかの要因によって第２補助電力が低下して、第２の補助電力供給経路の電圧値が所定閾値を下回るとき、第２スイッチング素子（ＦＥＴＱ１）がオン状態となって、第２補助電力（第２出力電圧ＶＰ２）が供給される動作状態から、第１補助電力（第１出力電圧ＶＰ１）が供給される動作状態に切り替えて、駆動制御部１７に対する電源供給がなされることとなる。これにより、急激な負荷変動や入力電圧変動およびこれに対応するための駆動制御、或いは、スイッチング電源装置の起動や停止の際の過渡的な制御などを行なう場合において、駆動制御部１７の動作を妨げる一要因となる駆動制御部１７の電源電圧の低下を回避することができる。
【００３９】
また、駆動制御部１７（特に駆動制御ＩＣ）が、ある程度の電源電圧の許容範囲を有する場合には、先行技術として開示されているような電力損失の原因となる電圧安定化の機能は不要となり、本実施形態の構成で充分である。したがって、電源装置１の駆動制御部１７に対して電圧供給を行なう補助電源供給部１６の電力損失の最少化を簡素な構成で実現することができる。
【００４０】
さらに、以上説明した本実施形態の電源装置１では、補助電力供給経路の数を２としたが、補助電力供給経路の数をＮ（Ｎは２以上の整数）とする場合、次のような一般形として構成することができる。
【００４１】
すなわち、補助電源供給部１６において、電力変換部１３と接続される少なくともＮ個（Ｎは２以上の整数）の補助電力供給経路から互いに異なる電圧値を有する補助電力を供給すると共に、該Ｎ個の補助電力供給経路の補助電力に対して予め所定閾値が与えられ、第ｋ（ｋ＝２〜Ｎ）の補助電力供給経路から供給される補助電力が第ｋ−１の補助電力供給経路から供給される補助電力より小さく設定され、第ｋの補助電力供給経路の電圧値が所定閾値を下回る場合、第ｋ−１の補助電力供給経路を選択し、該選択された第ｋ−１の補助電力供給経路から供給される補助電力を出力する。
【００４２】
また、補助電源供給部１６は、第ｋの補助電力供給経路に、該第ｋの補助電力供給経路が供給する補助電力の電圧値が所定閾値を下回るか否かを検出する第ｋ検出部を備え、第ｋの補助電力供給経路の電圧値が前記所定閾値を下回るとき、第ｋ−１の補助電力供給経路を選択するように切替えると共に、該選択された第ｋ−１の補助電力供給経路から供給される補助電力を出力する第ｋ切替部を、第ｋの補助電力供給経路及び第ｋ−１の補助電力供給経路間に備えて構成する。
【００４３】
なお、第ｋ検出部は、第ｋの補助電力供給経路の電圧値が前記所定閾値を下回るときにオフ状態となる第１スイッチング素子を備え、また第ｋ切替部は、第１スイッチング素子がオフ状態のときオン状態となって第ｋの補助電力供給経路から供給される補助電力を出力し、それ以外はオフ状態となる第２スイッチング素子と、前記第ｋの補助電力供給経路から他の補助電力供給経路への逆流を阻止するダイオードと、を有する
【００４４】
このような一般形の構成によっても、通常の動作状態において、何らかの要因によって第ｋ補助電力が低下して、該第ｋの補助電力供給経路の電圧値が所定閾値を下回るとき、第ｋ検出部の第２スイッチング素子がオン状態となって、第ｋ補助電力が供給される動作状態から、第ｋ−１補助電力が供給される動作状態に切り替えて、駆動制御部１７に対する電源供給がなされることとなる。これにより、急激な負荷変動や入力電圧変動およびこれに対応するための駆動制御、或いは、スイッチング電源装置の起動や停止の際の過渡的な制御などを行なう場合において、駆動制御部１７の動作を妨げる一要因となる駆動制御部１７の電源電圧の低下を回避することができる。
【００４５】
以上、本発明の実施形態及びその一般形について図面を参照して詳述したが、本発明はこれら実施形態及びその一般形に限定されるものではなく、本発明の要旨を逸脱しない範囲の設計変更等があっても本発明に含まれる。例えば、実施形態のコンデンサＣ１〜Ｃ３について、これらは有極性のコンデンサを用いた構成としても何ら問題はない。
【符号の説明】
【００４６】
１  電源装置
１０  交流電源
１１  入力フィルタ部
１２  整流部
１３  電力変換部
１４  出力検出部
１５  負荷
１６  補助電源供給部
１７  駆動制御部
１３１  駆動部
１３２（Ｔ１）  トランス
Ｗ１  １次巻線
Ｗ２  ２次巻線
Ｗ３  ３次巻線（補助巻線）
１６１  検出部
１６２  切替部
Ｄ１〜Ｄ３  ダイオード
Ｄ４  ツェナーダイオード（第１スイッチング素子）
Ｑ１  ＦＥＴ（第２スイッチング素子）
Ｑ２，Ｑ３  トランジスタ
Ｒ１〜Ｒ４  抵抗
【図１】
2013183533.tif 000003
【図２】
2013183533.tif 000004